(57)【要約】【課題】基準レベルが異なる様々な音響信号が入力される場合であっても、微妙な音量調整をすることができる音量調整装置を提供すること。【解決手段】入力された音響信号を増幅する増幅器１１０と、増幅器１１０における増幅の利得を調整する増幅利得調整器１２０と、増幅器１１０から出力された音響信号のレベルを調整する出力レベル調整器１３０とを備え、出力レベル調整器１３０は、出力レベル調整用の入力値の変動に対して出力レベル調整器１３０における出力レベル調整前後の音響信号のレベル比の変動が折線状又は波線状である特性を有するよう構成した。【選択図】図１
2008312260.tif 000002
【特許請求の範囲】
【請求項１】
基準レベルが異なる複数の音響信号が入力される音量調整装置であって、
操作量を電圧として出力する操作子と、前記音響信号を増幅する増幅器と、前記増幅器における増幅の利得を調整する増幅利得調整器と、前記増幅器から出力される音響信号のレベルを調整する出力レベル調整器とを備え、
前記増幅利得調整器が前記増幅器の利得を調整するための可変抵抗器を有し、
前記出力レベル調整器は、入力電圧と出力電圧との比が単調増加の折線特性を有する折れ線回路および該折れ線回路から出力された出力電圧に従って、前記増幅器から出力された音響信号の利得を調整する利得可変型アンプを有し、
前記操作子によって、前記増幅器および前記出力レベル調整器の利得が連動制御されることを特徴とする音量調整装置。
【請求項２】
基準レベルが異なる複数の音響信号が入力される音量調整装置であって、
操作量を電圧として出力する操作子と、前記音響信号を増幅する増幅器と、前記増幅器における増幅の利得を調整する増幅利得調整器と、前記増幅器から出力される音響信号のレベルを調整する出力レベル調整器とを備え、
前記増幅利得調整器が前記増幅器の利得を調整するための可変抵抗器を有し、
前記出力レベル調整器は、入力電圧と出力電圧との比が単調増加の折線特性を有するとともに所定の算出式にしたがって計算する制御部および該制御部から出力された出力電圧に従って、前記増幅器から出力された音響信号の利得を調整するＤＳＰを有し、
前記操作子によって、前記増幅器および前記出力レベル調整器の利得が連動制御されることを特徴とする音量調整装置。
【発明の詳細な説明】
【技術分野】
【０００１】
本発明は、音量を調整するための音量調整装置に関し、特に、基準レベルが異なる様々な音響信号が入力される環境であっても、微妙な音量調整をすることができる音量調整装置に関する。
【背景技術】
【０００２】
従来の音量調整装置として、例えば特公平７−８３２２５号公報に記載されたものが知られている。この従来の音量調整装置は、オーディオミキサに適用されており、入力された音響信号を増幅する初段増幅器と、この初段増幅器から出力された音響信号のレベルを調整する音量調整器とを備え、ひとつの操作子を操作することにより、初段増幅器における増幅の利得についての調整と初段増幅器から出力された音響信号のレベルについての調整とが、連動して行なわれるようになっていた。
【発明の開示】
【発明が解決しようとする課題】
【０００３】
しかしながら、このような従来の音量調整装置は、様々な音響機器から基準レベルが互いに異なる様々な音響信号が随時入力される環境においては、全体の音量調整範囲を広くする必要がある。例えば図１２に示すように、業務用機器の音量調整範囲１２０１、民生機器の音量調整範囲１２０２及びマイクロホンの音量調整範囲１２０３に対して、操作子１２１０は、第１の操作範囲１２１１、第２の操作範囲１２１２及び第３の操作範囲１２１３がそれぞれ対応することになり、それぞれの音量調整範囲１２０１、１２０２、１２０３に対するそれぞれの操作範囲１２１１、１２１２、１２１３が狭くなってしまい、したがって、微妙な音量調整が困難になってしまうという問題があった。
【０００４】
本発明はこのような問題を解決するためになされたもので、基準レベルが異なる様々な音響信号が入力される環境であっても、微妙な音量調整をすることができる音量調整装置を提供するものである。
【課題を解決するための手段】
【０００５】
本発明の音量調整装置は、入力された音響信号を増幅する増幅器と、前記増幅器における増幅の利得を調整する増幅利得調整器と、前記増幅器から出力された音響信号のレベルを調整する出力レベル調整器とを備え、前記出力レベル調整器は、出力レベル調整用の入力値の変動に対して前記出力レベル調整器における出力レベル調整前後の音響信号のレベル比の変動が折線状又は波線状である特性を有した構成を有している。
【０００６】
この構成により、基準レベルが異なる様々な音響信号が入力される環境であっても、それぞれの音量調整範囲に対するそれぞれの操作範囲を音量調整操作に十分な範囲とすることができるので、微妙な音量調整をすることができる。
【０００７】
本発明の音量調整装置は、前記増幅利得調整器と前記出力レベル調整器とが連動し、前記増幅器における増幅の利得についての調整と前記増幅器から出力された音響信号のレベルについての調整とがひとつの操作で同時に行なわれるようにした構成を有している。
【０００８】
この構成により、基準レベルが異なる様々な音響信号が入力される環境であっても、ひとつの操作によって、微妙な音量調整をすることができる。
【０００９】
本発明の音量調整装置は、前記出力レベル調整器は、前記出力レベル調整用の入力値の変動に対して出力値の変動が折線状又は波線状である特性を有した折線回路と、前記出力レベル調整前後の音響信号のレベル比が前記折線回路の出力値で制御される利得可変増幅器とを有する構成を有している。
【００１０】
この構成により、折線特性を有した特殊な可変抵抗器を用いる必要がなくなるので、低コストで、微妙な音量調整を可能とすることができる。
【００１１】
本発明の音量調整装置は、前記出力レベル調整用の入力値と前記レベル比との対応関係を記憶した記憶部を備え、前記出力レベル調整器は、前記記憶部に記憶された前記対応関係に従って前記音響信号のレベルを調整するようにした構成を有している。
【００１２】
この構成により、折線特性を有した特殊な可変抵抗器を用いる必要がなく、また、出力レベル調整用の入力値とレベル比との対応関係を用途に応じて予め記憶させておくことにより、環境や用途に応じた微妙な音量調整を可能とすることができる。
【００１３】
本発明の音量調整装置は、前記出力レベル調整用の入力値に基づいて前記レベル比を算出する算出部を備え、前記出力レベル調整器は、前記算出部によって算出されたレベル比で前記音響信号のレベルを調整するようにした構成を有している。
【００１４】
この構成により、折線特性を有した特殊な可変抵抗器を用いる必要がなく、また、出力レベル調整用の入力値とレベル比との対応関係の算出式を用途に応じて変更することにより、環境や用途に応じた微妙な音量調整を可能とすることができる。
【００１５】
本発明の音量調整装置は、前記増幅利得調整器と前記出力レベル調整器とは、一軸二連の可変抵抗器によって構成されている。
【００１６】
この構成により、特定の可変抵抗器を用いることにより、微妙な音量調整を可能とすることができる。
【００１７】
本発明の音量調整装置は、操作が行われる操作子と、前記操作子に接続された緩衝増幅器とを備え、前記増幅利得調整器と前記出力レベル調整器とは、前記緩衝増幅器を介して、利得調整用の入力値及び出力レベル調整用の入力値がそれぞれ入力されるようにした構成を有している。
【００１８】
この構成により、操作子を隔離して配置することが可能となり、低コストで配置の制約を軽減することができる。
【００１９】
本発明の音量調整装置は、操作量を数値情報に変換する操作端末と、前記操作端末から前記数値情報を受信する受信器と、前記数値情報を復号化する復号器とを備え、前記増幅利得調整器と前記出力レベル調整器とは、前記復号器を介して、利得調整用の入力値及び出力レベル調整用の入力値がそれぞれ入力されるようにした構成を有している。
【００２０】
この構成により、音量調整の操作を遠隔の地点で行なうことができる。
【００２１】
本発明の音量調整装置は、前記操作端末が複数設けられ、前記複数の操作端末の何れかを選択する選択器を有し、前記出力レベル調整器は、選択された前記操作端末からの前記数値情報に基づいて出力レベル調整を行なうようにした構成を有している。
【００２２】
この構成により、複数の地点から音量調整をすることができる。
【００２３】
本発明の音量調整装置は、前記選択器は、前記数値情報を受信してから所定時間を経過するまでの間は他の前記操作端末から受信される数値情報を無視するようにした構成を有している。
【００２４】
この構成により、複数の地点における操作が競合したときであっても、一つの地点における一連の操作が終了するまで、他の地点における操作内容を排除することができる。
【００２５】
本発明の音量調整装置は、前記操作端末は、前記数値情報の送信先を選択するようにした構成を有している。
【００２６】
この構成により、複数の地点における音量調整をひとつの地点において操作することができる。
【００２７】
本発明の音量調整装置は、前記音響信号の出力レベル調整に関した出力レベル調整情報を前記操作端末に送信する送信器を備え、前記操作端末は、前記出力レベル情報を受信して表示するようにした構成を有している。
【００２８】
この構成により、遠隔の操作地点において、操作結果を確認することができる。
【発明の効果】
【００２９】
本発明によれば、基準レベルが異なる様々な音響信号が入力される場合であっても、微妙な音量調整をすることができるという優れた効果を有する音量調整装置を提供することができる。
【発明を実施するための最良の形態】
【００３０】
以下、本発明の実施の形態について、図面を用いて説明する。
【００３１】
（第１の実施の形態）
図１は、第１の実施の形態の音量調整装置１００を示すブロック図である。
【００３２】
図１において、増幅器１１０（プリアンプ）は、一対の入力端子１０１、１０２に入力された音響信号を増幅するものであり、一対のトランジスタ１１１、１１２からなる差動増幅器と、一つの演算増幅器１１３（オペアンプ）とを有する。各トランジスタ１１１、１１２のベースは各入力端子１０１、１０２にそれぞれ接続され、各トランジスタ１１１、１１２のコレクタは共に演算増幅器１１３に接続されている。
【００３３】
増幅利得調整器１２０は、増幅器１１０における増幅の利得を調整するものであり、具体的には、操作量に対応する利得調整用の入力値を電圧として生成する可変抵抗器１２１からなる。可変抵抗器１２１の両端は、増幅器１１０を構成する各トランジスタ１１１、１１２のエミッタにそれぞれ接続されおり、操作量に対応する電圧をトランジスタ１１１、１１２のエミッタ間に与える。
【００３４】
出力レベル調整器１３０は、増幅器１１０から出力された音響信号のレベルを調整するものであり、具体的には、操作量に対応する出力レベル調整用の入力値を電圧として生成する可変抵抗器１３１と、可変抵抗器１３１からの入力電圧の変動に対して自身の出力電圧が折線状に変動する特性を有した折線回路１３２と、出力レベル調整前後の音響信号のレベル比が折線回路１３２の出力電圧で制御される利得可変増幅器１３３とを有する。図９は、折線回路１３２の入力端子１３２ａの電圧（入力電圧）と折線回路１３２の出力端子１３２ｂの電圧（出力電圧）との対応関係９００（折線特性）を例示する。ここで、入力電圧は操作量に比例し、出力電圧は音響信号の出力レベル調整前後のレベル比に比例する。図９において、出力電圧における第１の出力電圧範囲９０１、第２の出力電圧範囲９０２及び第３の出力電圧範囲９０３に対して、入力電圧における第１の入力電圧範囲９１１、第２の入力電圧範囲９１２及び第３の入力電圧範囲９１３がそれぞれ対応する。例えば、第１の出力電圧範囲９０１が業務用機器の音量調整範囲、第２の出力電圧範囲９０２が民生機器の音量調整範囲、第３の出力電圧範囲９０３がマイクロホンの音量調整範囲にそれぞれ対応する。利得可変増幅器１３３は、電圧制御増幅器（ＶＣＡ：Voltage Controlled Amplifier）からなり、利得可変増幅器１３３の入力端子１３３ａに入力された増幅器１１０からの音響信号は、利得可変増幅器１３３の制御端子１３３ｃに与えられた折線回路１３２の出力電圧に基いて減衰され、利得可変増幅器１３３の出力端子１３３ｂから出力される。
【００３５】
緩衝増幅器１４０（バッファアンプ）は、出力端子１０３に接続されたミキシング回路等に、出力レベル調整器１３０から出力された音響信号を供給する。
【００３６】
なお、出力レベル調整器１３０の折線回路１３２としては、例えば、複数の演算増幅器を用いたものを用いる。また例えば、電圧をアナログからデジタルに変換するＡＤ変換器と、入力電圧と出力電圧の対応関係を記憶するメモリと、このメモリの出力をデジタルからアナログに変換するＤＡ変換器とによって構成したものを用いる。その他、所望の折線特性を有していればどのような折線回路を用いてもよい。また、折線回路１３２と利得可変増幅器１３３とを、ＦＰＧＡ（Field Programmable Gate Array）やＤＳＰ（Digital Signal Processor）等で構成するようにしてもよい。
【００３７】
また、増幅利得調整器１２０の可変抵抗器１２１と、出力レベル調整器１３０の可変抵抗器１３１とは、一軸二連の可変抵抗器１６０を構成し、連動するようになっている。したがって、増幅器１１０における増幅の利得の調整と、増幅器１１０から出力された音響信号についての出力レベル調整器１３０におけるレベル調整とが、ひとつの操作で、同時に行なわれる。例えば、増幅利得調整器１２０の可変抵抗器１２１は対数特性とし、出力レベル調整器１３０の可変抵抗器１３１は線形特性としたものを用いる。
【００３８】
次に、本実施の形態の音量調整装置１００の動作について説明する。
【００３９】
入力端子１０１、１０２に入力された音響信号は、まず、増幅器１１０によって増幅され、次に、出力レベル調整器１３０によって適当なレベルに減衰された後、緩衝増幅器１４０を介して、出力端子１０３から出力される。
【００４０】
また、一軸二連の可変抵抗器１６０が操作されたとき、すなわち、増幅利得調整器１２０を構成する可変抵抗器１２１と出力レベル調整器１３０を構成する可変抵抗器１３１とが連動してそれぞれの抵抗値が変動したときには、増幅器１１０における増幅の利得が変動するとともに、出力レベル調整器１３０における出力レベル調整前後の音響信号のレベル比が変動する。具体的には、増幅利得調整器１２０を構成する可変抵抗器１２１の抵抗値が変動したとき、増幅器１１０を構成する一対のトランジスタ１１１、１１２のエミッタ間の電圧が変動することにより、増幅器１１０における増幅の利得が変動する。また、出力レベル調整器１３０を構成する可変抵抗器１３１の抵抗値が変動したとき、折線回路１３２の入力端子１３２ａの電圧が変動し、折線回路１３２の出力端子１３２ｂの電圧が変動する。図９に示したように、折線回路１３２の出力端子１３２ｂの電圧（出力電圧）は、折線回路１３２の入力端子１３２ａの電圧（入力電圧）の変動に対して折線状に変動する。折線回路１３２の出力端子１３２ｂは利得可変増幅器１３３の制御端子１３３ｃと接続されており、利得可変増幅器１３３の入力端子１３３ａに入力された音響信号と利得可変増幅器１３３の出力端子１３３ｂから出力される音響信号のレベル比は、利得可変増幅器１３３の制御端子１３３ｃに与えられた電圧に応じて変動する。
【００４１】
図１１は、操作量と音響信号のレベルの減衰量との関係の例を示す。図１１において、一軸二連の可変抵抗器１６０を有した操作子１１１０の操作量と音響信号のレベルの減衰量との対応関係１１００（折線特性）は、第１の音量調整範囲１１０１、第２の音量調整範囲１１０２及び第３の音量調整範囲１１０３に対して、第１の操作範囲１１１１、第２の操作範囲１１１２及び第３の操作範囲１１１３がそれぞれ対応する。従来の装置の操作量と音響信号のレベルの減衰量との対応関係１２００（線形特性）における第１の操作範囲１２１１、第２の操作範囲１２１２及び第３の操作範囲１２１３と比較して、必要とされる音量調整範囲（１１０１、１１０２、１１０３）に対応する操作範囲（１１１１、１１１２、１１１３）が、広くなっている。
【００４２】
以上説明したように、本実施の形態の音量調整装置１００は、操作量と音響信号のレベルの減衰量との対応関係が折線特性となるので、基準レベルが異なる様々な音響信号が入力される環境であっても、微妙な音量調整をすることができる。
【００４３】
また、本実施の形態の音量調整装置は、増幅器における増幅の利得についての調整と増幅器から出力された音響信号のレベルについての調整とがひとつの操作で同時に行なわれるので、ひとつの操作によって、微妙な音量調整をすることができる。
【００４４】
また、本実施の形態の音量調整装置１００は、汎用の可変抵抗器１２１、１３１によって操作量を取得し、汎用の利得可変増幅器１３３によって減衰量を調整するようになっているので、低コストで、微妙な音量調整を可能とすることができる。
【００４５】
なお、折線特性は、図９及び図１１に示した特性に限るものではなく、環境及び用途に応じて特性を変えてもよい。また、折線特性は、折線状でなく、波線状であってもよい。
【００４６】
また、増幅利得調整器１２０の可変抵抗器１２１は対数特性とし、出力レベル調整器１３０の可変抵抗器１３１は線形特性とした例について説明したが、増幅利得調整器１２０の可変抵抗器１２１と出力レベル調整器１３０の可変抵抗器１３１とは共に対数特性としてもよい。また、増幅利得調整器１２０の可変抵抗器１２１と出力レベル調整器１３０の可変抵抗器１３１とが一軸二連の可変抵抗器１６０によって構成された例について説明したが、それぞれ別の可変抵抗器によって構成してもよい。また、可変抵抗器によって操作量を取得する例について説明したが、その他のデバイスを用いて操作量を取得するように構成してもよい。
【００４７】
（第２の実施の形態）
図２は、第２の実施の形態の音量調整装置２００を示すブロック図である。図２において、図１に示した第１の実施の形態の音量調整装置１００の構成要件と同じ構成要件は、同じ符号を付してあり、第１の実施の形態において説明したので説明を省略する。
【００４８】
図２において、操作子２６０は、可変抵抗器を有し、操作量に対応して抵抗値が変化し、操作量を電圧として出力する。ここで、操作子２６０の出力電圧（入力値）は、増幅器１１０において音響信号を増幅する際の利得調整用の入力値であるとともに、増幅器１１０から出力された音響信号を減衰する際の出力レベル調整用の入力値でもある。増幅利得調整器２２０は、可変抵抗器２２１からなり、操作子２６０の出力電圧の変動に従って抵抗値が変動し、増幅器１１０における利得を調整する。
【００４９】
記憶部２３４は、操作子２６０から出力された出力レベル調整用の入力値と出力レベル調整器２３０における出力レベル調整前後の音響信号のレベル比との対応関係（折線特性）を示すテーブル情報を記憶する。出力レベル調整器２３０は、記憶部２３４に記憶されたテーブル情報を参照して、音響信号のレベル比を出力する制御部２３２と、制御部２３２から出力されたレベル比に従って、増幅器１１０から出力された音響信号のレベルを調整するＤＳＰ（Digital Signal Processor）２３３とを有する。なお、制御部２３２からＤＳＰ２３３に出力されるレベル比は、レベル比そのものでなくても、レベル比に対応した制御値であってもよい。
【００５０】
次に、本実施の形態の音量調整装置２００の動作について説明する。
【００５１】
入力端子１０１、１０２に入力された音響信号は、まず、増幅器１１０によって増幅され、次に、出力レベル調整器２３０によって適当なレベルに減衰された後、緩衝増幅器１４０を介して、出力端子１０３から出力される。
【００５２】
操作子２６０において操作がなされたときには、操作子２６０から、操作量に比例した電圧が利得調整用の入力値として増幅利得調整器２２０に出力されるとともに、操作量に比例した電圧が出力レベル調整用の入力値として出力レベル調整器２３０に出力される。
【００５３】
操作子２６０の出力電圧の変動に従って、増幅利得調整器２２０を構成する可変抵抗器２２１の抵抗値が変動し、増幅器１１０を構成する一対のトランジスタ１１１、１１２のエミッタ間の電圧が変動することにより、増幅器１１０における増幅の利得が変動する。
【００５４】
また、制御部２３２から、操作子２６０の出力電圧に対応したレベル比がＤＳＰ２３３に出力され、ＤＳＰ２３３において、増幅器１１０から出力された音響信号のレベルが、制御部２３２から出力されたレベル比で減衰される。
【００５５】
図１１は、操作量と音響信号のレベルの減衰量との関係の例を示す。図１１に示す操作量と音響信号のレベルの減衰量との対応関係１１００（折線特性）において、必要とされるそれぞれの音量調整範囲（１１０１、１１０２、１１０３）に対するそれぞれの操作範囲（１１１１、１１１２、１１１３）が、従来の装置における操作範囲（１２１１、１２１２、１２１３）と比較して、広くなっている。
【００５６】
本実施の形態の音量調整装置２００は、操作量と音響信号のレベルの減衰量との対応関係が、環境や用途に応じて記憶部２３４に記憶されたテーブル情報によって決まることとなるので、環境や用途に応じた微妙な音量調整を可能とすることができる。
【００５７】
（第３の実施の形態）
図３は、第３の実施の形態の音量調整装置３００を示すブロック図である。図３において、図１に示した第１の実施の形態の音量調整装置１００の構成要件と同じ構成要件は、同じ符号を付してあり、第１の実施の形態において説明したので説明を省略する。
【００５８】
図３において、操作子２６０は、可変抵抗器を有し、操作量に対応して抵抗値が変化し、操作量を電圧として出力する。ここで、操作子２６０の出力電圧（入力値）は、増幅器１１０において音響信号を増幅する際の利得調整用の入力値であるとともに、増幅器１１０から出力された音響信号を減衰する際の出力レベル調整用の入力値でもある。増幅利得調整器２２０は、可変抵抗器２２１からなり、操作子２６０の出力電圧の変動に従って抵抗値が変動し、増幅器１１０における利得を調整する。
【００５９】
出力レベル調整器３３０は、出力レベル調整用の入力値に基いて、出力レベル調整器３３０における音響信号のレベル比を予め設定された算出式に従って算出する制御部３３２（算出部）と、制御部３３２によって算出されたレベル比に従って、増幅器１１０から出力された音響信号のレベルを調整するＤＳＰ（Digital Signal Processor）３３３とを有する。
【００６０】
次に、本実施の形態の音量調整装置３００の動作について説明する。
【００６１】
入力端子１０１、１０２に入力された音響信号は、まず、増幅器１１０によって増幅され、次に、出力レベル調整器３３０によって適当なレベルに調整された後、緩衝増幅器１４０を介して、出力端子１０３から出力される。
【００６２】
操作子２６０において操作がなされたときには、操作子２６０から、操作量に比例した電圧が利得調整用の入力値として増幅利得調整器２２０に出力されるとともに、操作量に比例した電圧が出力レベル調整用の入力値として出力レベル調整器３３０に出力される。
【００６３】
操作子２６０の出力電圧の変動に従って、増幅利得調整器２２０を構成する可変抵抗器２２１の抵抗値が変動し、増幅器１１０を構成する一対のトランジスタ１１１、１１２のエミッタ間の電圧が変動することにより、増幅器１１０における増幅の利得が変動する。
【００６４】
また、制御部３３２から、操作子２６０の出力電圧に対応したレベル比がＤＳＰ３３３に出力され、ＤＳＰ３３３において、増幅器１１０から出力された音響信号のレベルが、制御部３３２から出力されたレベル比で減衰される。
【００６５】
図１１は、操作量と音響信号のレベルの減衰量との関係の例を示す。図１１に示す操作量と音響信号のレベルの減衰量との対応関係１１００（折線特性）において、必要とされるそれぞれの音量調整範囲（１１０１、１１０２、１１０３）に対するそれぞれの操作範囲（１１１１、１１１２、１１１３）が、従来の装置における操作範囲（１２１１、１２１２、１２１３）と比較して、広くなっている。
【００６６】
本実施の形態の音量調整装置３００は、出力レベル調整用の入力値とレベル比との対応関係の算出式を用途に応じて変更すれば、環境や用途に応じた微妙な音量調整を可能とすることができる。
【００６７】
（第４の実施の形態）
図４は、第４の実施の形態の音量調整装置４００を示すブロック図である。図４において、図１に示した第１の実施の形態の音量調整装置１００の構成要件と同じ構成要件は、同じ符号を付してあり、第１の実施の形態において説明したので説明を省略する。
【００６８】
本実施の形態の音量調整装置４００において、増幅利得調整器１２０と出力レベル調整器４３０とは、一軸二連の可変抵抗器４６０によって構成されている。図１０は、増幅利得調整器１２０における操作量と抵抗変化率との関係１００１、及び、出力レベル調整器４３０における操作量と抵抗変化率との関係１００２の例を示す。図１０において、増幅利得調整器１２０は、抵抗値が操作量に対して対数特性であり、出力レベル調整器４３０は、抵抗値が操作量に対して折線特性である。なお、一軸二連の可変抵抗器４６０は、例えば抵抗素材の密度分布を操作方向に対して偏在させて形成し、増幅利得調整器１２０を構成する可変抵抗器については対数特性となるように、出力レベル調整器４３０を構成する可変抵抗器については折線特性となるようにしたものを用いる。
【００６９】
次に、本実施の形態の音量調整装置４００の動作について説明する。
【００７０】
入力端子１０１、１０２に入力された音響信号は、まず、増幅器１１０によって増幅され、次に、出力レベル調整器４３０によって適当なレベルに減衰された後、緩衝増幅器１４０を介して、出力端子１０３から出力される。
【００７１】
また、操作子によって操作がなされたとき、すなわち、増幅利得調整器１２０と出力レベル調整器４３０とが連動してそれぞれの抵抗値が変動したときには、増幅器１１０における増幅の利得が操作量に対して対数特性で変動するとともに、出力レベル調整器４３０における出力レベル調整前後の音響信号のレベル比が操作量に対して折線特性で変動する。
【００７２】
以上説明したように、本実施の形態の音量調整装置４００は、折線特性を有した特定の可変抵抗器を用いることにより、微妙な音量調整をすることができる。
【００７３】
（第５の実施の形態）
図５は、第５の実施の形態の音量調整装置５００を示すブロック図である。図５において、図１に示した第１の実施の形態の音量調整装置１００の構成要件と同じ構成要件は、同じ符号を付してあり、第１の実施の形態において説明したので説明を省略する。
【００７４】
本実施の形態の音量調整装置５００において、操作が行われる操作部５６０は、増幅利得調整器２２０及び出力レベル調整器５３０等と離隔して配置されている。操作部５６０は、操作量に対応して抵抗値が変化して操作量に比例する電圧を出力する可変抵抗器５６１（操作子）と、可変抵抗器５６１に接続された緩衝増幅器５６２（バッファアンプ）とを有する。増幅利得調整器２２０は、緩衝増幅器５６２を介して入力された電圧に対応して抵抗値が変化する可変抵抗器２２１からなる。出力レベル調整器５３０は、折線回路１３２と利得可変増幅器１３３とを有し、緩衝増幅器５６２を介して入力された電圧に基づいて、増幅器１１０から出力された音響信号のレベルを調整する。
【００７５】
次に、本実施の形態の音量調整装置５００の動作について説明する。
【００７６】
操作部５６０において操作がなされたとき、操作部５６０の可変抵抗器５６１から、操作部５６０の緩衝増幅器５６２を介して、操作量に比例する電圧が利得調整用の入力値として増幅利得調整器２２０に出力されるとともに、操作量に比例する電圧が出力レベル調整用の入力値として出力レベル調整器５３０に出力される。
【００７７】
操作部５６０の出力電圧の変動に従って、増幅利得調整器２２０を構成する可変抵抗器２２１の抵抗値が変動し、増幅器１１０を構成する一対のトランジスタ１１１、１１２のエミッタ間の電圧が変動することにより、増幅器１１０における増幅の利得が変動する。
【００７８】
また、操作部５６０の出力電圧の変動に従って、折線回路１３２の出力電圧が変動する。図９に例示するように、折線回路１３２の出力電圧は、折線回路１３２の入力電圧の変動に対して折線状に変動する。折線回路１３２の出力電圧は利得可変増幅器１３３に入力されるようになっており、利得可変増幅器１３３に入力された音響信号と利得可変増幅器１３３から出力される音響信号のレベルは、折線回路１３２の出力電圧に従う。
【００７９】
以上説明したように、本実施の形態の音量調整装置５００は、増幅利得調整器２２０と出力レベル調整器５３０とが、緩衝増幅器５６２を介して、操作量を示す入力値を取得するようになっているので、操作部を装置本体から独立して配置することができ、低コストで配置の制約を軽減することができる。
【００８０】
なお、操作部５６０の可変抵抗器５６１は、線形特性に限らず、対数特性であってもよい。
【００８１】
（第６の実施の形態）
図６は、第６の実施の形態の音量調整装置６００を示すブロック図である。図６において、図５に示した第５の実施の形態の音量調整装置５００の構成要件と同じ構成要件は、同じ符号を付してあり、第５の実施の形態及びその他の実施の形態において説明したので詳細な説明を省略する。
【００８２】
図６において、操作が行われる操作端末６１０は、ネットワークを介して、装置本体６０１と接続されている。操作端末６１０は、可変抵抗器等からなり操作量を電圧として出力する操作子６１１と、ＡＤコンバータ等からなり操作子６１１の出力電圧（入力値）を数値情報に変換する符号器６１２と、符号器６１２から出力された数値情報を、ネットワークを介して、装置本体６０１に送信する送信器６１３とを有する。
【００８３】
装置本体６０１は、操作量に対応した数値情報を操作端末６１０から受信する受信器６６１と、受信器６６１から出力された数値情報を電圧に変換し、増幅利得調整器２２０と出力レベル調整器５３０とに出力する復号器６６２とを有する。
【００８４】
次に、本実施の形態の音量調整装置６００の動作について説明する。
【００８５】
操作端末６１０において、操作がなされたとき、操作子６１１から、操作量に比例した電圧が符号器６１２に出力され、符号器６１２において操作子６１１の出力電圧が数値情報に変換された後、送信器６１３によって装置本体６０１に数値情報が送信される。
【００８６】
装置本体６０１において、受信器６６１が操作端末６１０から数値情報を受信し、復号器６６２によって数値情報が電圧に変換され、操作量に比例した電圧が利得調整用の入力値として増幅利得調整器２２０に出力されるとともに、操作量に比例した電圧が出力レベル調整用の入力値として出力レベル調整器５３０に出力される。
【００８７】
復号器６６２の出力電圧の変動に従って、増幅利得調整器２２０を構成する可変抵抗器２２１の抵抗値が変動し、増幅器１１０を構成する一対のトランジスタ１１１、１１２のエミッタ間の電圧が変動することにより、増幅器１１０における増幅の利得が変動する。また、折線回路１３２を介して、復号器６６２の出力電圧に対応したレベル比が利得可変増幅器１３３に出力され、利得可変増幅器１３３において、増幅器１１０から出力された音響信号のレベルが、折線回路１３２から出力されたレベル比で減衰される。
【００８８】
以上説明したように、本実施の形態の音量調整装置６００は、操作端末６１０が操作量を示す数値情報を送信し、装置本体６０１が数値情報を受信し、受信した数値情報に従って増幅利得調整器２２０が音響信号を増幅するとともに出力レベル調整器５３０が出力レベルを調整するようになっているので、音量調整の操作を遠隔の地点で行なうことができることとなる。
【００８９】
（第７の実施の形態）
図７は、第７の実施の形態の音量調整装置７００を示すブロック図である。図７において、図５に示した第５の実施の形態の音量調整装置５００の構成要件と同じ構成要件は、同じ符号を付してあり、第５の実施の形態及びその他の実施の形態において説明したので説明を省略する。
【００９０】
図７において、複数の操作端末７１１、７１２は、それぞれ、操作量を電圧として出力する操作子６１１と、操作子６１１の出力電圧（入力値）を数値情報に変換する符号器６１２と、符号器６１２から出力された数値情報を装置本体７０１に送信する送信器６１３と、音響信号の出力レベル調整に関した出力レベル調整情報を装置本体７０１から受信する受信器７２１と、受信器７２１によって受信された出力レベル調整情報を復号化する復号器７２２と、復号器７２２によって復号化された出力レベル調整情報を表示する表示器７２３とを有する。
【００９１】
装置本体７０１は、操作量に対応した数値情報を操作端末６１０から受信する複数の受信器６６１と、受信器６６１から出力された数値情報を電圧に変換し、増幅利得調整器２２０と出力レベル調整器５３０とに出力する復号器６６２と、復号器６６２に出力する数値情報を選択する選択器７７１と、音響信号の出力レベル調整に関した出力レベル調整情報を生成する符号器７７２と、出力レベル調整情報を操作端末７１１、７１２に送信する複数の送信器７７３とを有する。
【００９２】
装置本体７０１の選択器７７１は、例えば、時間の経過を計測するタイマを有し、選択した操作端末から最後の数値情報を受信してから一定時間が経過するまでの間は他の操作端末から受信される数値情報を無視するように構成する。また、例えば、操作によって操作端末を指定する指定部を接続した構成としてもよい。
【００９３】
なお、出力レベル調整情報は、装置本体７０１が操作端末７１１、７１２から受信した数値情報そのものであってもよく、また、折線回路１３２から利得可変増幅器１３３に出力されるレベル比を示す情報であってもよい。
【００９４】
次に、本実施の形態の音量調整装置７００の動作について説明する。
【００９５】
複数の操作端末７１１、７１２において、それぞれ操作がなされた場合、操作量に比例した電圧がそれぞれの操作子６１１からそれぞれの符号器６１２に出力され、それぞれの符号器６１２において操作子６１１の出力電圧が数値情報に変換された後、それぞれの送信器６１３によって装置本体７０１に数値情報が送信される。
【００９６】
装置本体７０１において、複数の受信器６６１がそれぞれ操作端末７１１、７１２から数値情報を受信し、選択器７７１によって一の操作端末からの数値情報が選択され、復号器６６２によって数値情報が電圧に変換され、操作量に比例した電圧が利得調整用の入力値として増幅利得調整器２２０に出力されるとともに、操作量に比例した電圧が出力レベル調整用の入力値として出力レベル調整器５３０に出力される。
【００９７】
また、出力レベル調整器５３０から出力された電圧が、符号器７７２において数値情報に変換され、複数の送信器７７３によって複数の操作端末７１１、７１２に数値情報が送信される。また、それぞれの操作端末７１１、７１２において、それぞれの受信器７２１が数値情報を受信し、それぞれの復号器７２２が数値情報を電圧に変換し、表示器７２３によって表示が行われる。
【００９８】
例えば、一の操作端末が選択されている状態で、装置本体７０１が一の操作端末から受信した数値情報をそのまま全ての操作端末７１１、７１２に送信することにより、全ての操作端末において入力値が表示されることとなり、操作者は、操作結果を確認することができる。また、操作端末に送信される数値情報は、折線回路１３２から利得可変増幅器１３３に出力されるレベル比を示す電圧を符号化したものであってもよい。
【００９９】
以上説明したように本実施の形態の音量調整装置７００は、遠隔の複数の地点において音量調整の操作をすることができる。また、本実施の形態の音量調整装置７００は、遠隔の操作地点において、操作結果を確認することができる。
【０１００】
また、本実施の形態の音量調整装置７００は、複数の地点における操作が競合したときであっても、一つの地点における一連の操作を優先し、他の地点における操作内容を抑制することができる。
【０１０１】
（第８の実施の形態）
図８は、第８の実施の形態の音量調整装置８００を示すブロック図である。図８において、図５に示した第５の実施の形態の音量調整装置５００の構成要件と同じ構成要件は、同じ符号としてあり、第５の実施の形態及びその他の実施の形態において説明したので説明を省略する。
【０１０２】
図８において、操作端末８１０は、操作量を電圧として出力する操作子６１１と、操作子６１１の出力電圧（入力値）を数値情報に変換する符号器６１２と、符号器６１２から出力された数値情報を複数の装置本体８０１、８０２の何れかに送信する複数の送信器６１３と、音響信号の出力レベル調整に関した出力レベル調整情報を複数の装置本体８０１、８０２の何れかから受信する複数の受信器７２１と、受信器７２１によって受信された出力レベル調整情報を復号化する復号器７２２と、復号器７２２によって復号化された出力レベル調整情報を表示する表示器７２３と、複数の装置本体８０１、８０２の何れかを選択する選択器８３１とを有する。
【０１０３】
複数の装置本体８０１、８０２は、それぞれ、操作量に対応した数値情報を操作端末８１０から受信する受信器６６１と、受信器６６１から出力された数値情報を電圧に変換し、増幅利得調整器２２０と出力レベル調整器５３０とに出力する復号器６６２と、音響信号の出力レベル調整に関した出力レベル調整情報を生成する符号器７７２と、出力レベル調整情報を操作端末８１０に送信する送信器７７３とを有する。
【０１０４】
次に、本実施の形態の音量調整装置８００の動作について説明する。
【０１０５】
操作端末８１０において操作がなされたとき、操作量に比例した電圧が操作子６１１から符号器６１２に出力され、符号器６１２において操作子６１１の出力電圧が数値情報に変換された後、選択器８３１によって複数の装置本体８０１、８０２の何れかが選択され、複数の送信器６１３の何れかによって数値情報が装置本体８０１、８０２の何れかに送信される。
【０１０６】
複数の装置本体８０１、８０２の何れかにおいて、受信器６６１が操作端末８１０から数値情報を受信し、復号器６６２によって数値情報が電圧に変換され、操作量に比例した電圧が利得調整用の入力値として増幅利得調整器２２０に出力されるとともに、操作量に比例した電圧が出力レベル調整用の入力値として出力レベル調整器５３０に出力される。
【０１０７】
また、選択された装置本体の出力レベル調整器５３０から出力された電圧が、装置本体の符号器７７２において数値情報に変換され、装置本体の送信器７７３から操作端末８１０に送信される。また、操作端末８１０において、受信器７２１が数値情報を受信し、選択器８３１を介して、数値情報が復号器７２２に入力され、復号器７２２が数値情報を電圧に変換し、表示器７２３よって表示が行われる。
【０１０８】
以上説明したように本実施の形態の音量調整装置８００は、複数の地点における音量調整をひとつの地点において遠隔から操作することができる。
【０１０９】
なお、第６から第８までの実施の形態において、操作端末と装置本体との間のネットワークは有線でも無線でもよい。
【０１１０】
また、出力レベル調整器５３０の折線回路１３２及び利得可変増幅器１３３はＦＰＧＡやＤＳＰによって構成してもよい。
【０１１１】
また、操作子６１１は、ロータリボリュームやスライドボリュームに等の可変抵抗器に限らず、エンドレス回転式のロータリエンコーダや、音量アップ及び音量ダウンの２つのタクトスイッチ等、どのようなものであってもよい。
【０１１２】
また、前述の「折線状」とは、本発明の趣旨を逸脱しない限り、用途に合わせてどのような折線状としてもよく、また、なめらかな操作感にする等の目的により、波線状としてもよい。
【図面の簡単な説明】
【０１１３】
【図１】本発明の第１の実施の形態の音量調整装置を示すブロック図
【図２】本発明の第２の実施の形態の音量調整装置を示すブロック図
【図３】本発明の第３の実施の形態の音量調整装置を示すブロック図
【図４】本発明の第４の実施の形態の音量調整装置を示すブロック図
【図５】本発明の第５の実施の形態の音量調整装置を示すブロック図
【図６】本発明の第６の実施の形態の音量調整装置を示すブロック図
【図７】本発明の第７の実施の形態の音量調整装置を示すブロック図
【図８】本発明の第８の実施の形態の音量調整装置を示すブロック図
【図９】本発明の第１の実施の形態の音量調整装置における折線回路の例を説明するための説明図
【図１０】本発明の第４の実施の形態の音量調整装置における一軸二連の可変抵抗器の例を説明するための説明図
【図１１】本発明の第１乃至第８の実施の形態の音量調整装置における音量調整の例を説明するための説明図
【図１２】従来の音量調整装置における音量調整の例を説明するための説明図
【符号の説明】
【０１１４】
１０１、１０２  入力端子
１０３  出力端子
１１０  増幅器
１２０、２２０  増幅利得調整器
１３０、２３０、３３０、４３０、５３０  出力レベル調整器
１４０  緩衝増幅器
１３１  出力レベル調整器の可変抵抗器
１３２  出力レベル調整器の折線回路
１３３  出力レベル調整器の利得可変増幅器
２３２  出力レベル調整器の制御部
３３２  出力レベル調整器の制御部（算出部）
２３３、３３３  出力レベル調整器のＤＳＰ
２３４  記憶部
５６０  操作部
５６１  操作部の可変抵抗器
５６２  操作部の緩衝増幅器
６６１  装置本体の受信器
６６２  装置本体の復号器
７７１  装置本体の選択器
７７２  装置本体の符号器
７７３  装置本体の送信器
６１０、７１１、７１２、８１０  操作端末
６１１  操作端末の操作子
６１２  操作端末の符号器
６１３  操作端末の送信器
７２１  操作端末の受信器
７２２  操作端末の復号器
７２３  操作端末の表示器
８３１  操作端末の選択器
【図１】
2008312260.tif 000003
【図２】
2008312260.tif 000004
【図３】
2008312260.tif 000005
【図４】
2008312260.tif 000006
【図５】
2008312260.tif 000007
【図６】
2008312260.tif 000008
【図７】
2008312260.tif 000009
【図８】
2008312260.tif 000010
【図９】
2008312260.tif 000011
【図１０】
2008312260.tif 000012
【図１１】
2008312260.tif 000013
【図１２】
2008312260.tif 000014